(57)【特許請求の範囲】
【請求項１】
ロール状ラップフィルムを収納するカートンにおいて、該カートンの前板所定位置にアクリル系樹脂が主成分のニスの塗布層から成る巻戻り防止部を設けたカートンであって、
前記巻戻り防止部が、アクリルニスに耐ブロッキング剤を加えた、アクリルニスの含有率が９５〜９９％で、かつ耐ブロッキング剤の含有率が１〜５％であるニスの塗布層であることを特徴とするラップフィルム用カートン。
【請求項２】
前記耐ブロッキング剤がポリエチレン系ワックスであることを特徴とする請求項１に記載のラップフィルム用カートン。
【発明の詳細な説明】
【０００１】
【発明の属する技術分野】
本発明はロール状のラップフィルムを収納し、使用時に所望長さのフィルムをカートンから引き出し、切断するカートンに関するもので、特に巻戻り防止機能を備えたカートンである。
【０００２】
【従来の技術】
本発明が対象とするラップフィルム用のカートンは周知であり、カートンに備わる機能として、巻戻り防止機能も周知である。この機能は、ラップフィルムをカートンから所望長さ引き出し、カートンに備えた刃部材により切断した後のフィルムを、カートンの所定位置に留めておくことで、次回の使用時にフィルムの引き出しを容易にする機能である。この巻戻り防止機能の具体的な構成としては特開平１−９１５１がある。これは架橋性硬化ニスによる平坦な塗布層により巻戻り防止部を形成している。この構成は、巻戻り防止部自体には、接着性はないのであるが、巻戻り防止部が平滑面を形成するため、ポリ塩化ビニリデン、ポリ塩化ビニル等の自己吸着性の高いラップフィルムに対しは高い吸着性を有し、巻戻り防止としての機能を満足するものであった。
【０００３】
【発明が解決しようとする課題】
しかし、ラップフィルムがポリエチレン、ポリプロピレン、表面にこれら樹脂がある積層体等の場合はフィルム自体の自己吸着性が弱いため、巻戻り防止部には十分吸着しないという問題があった。
【０００４】
そこで、本発明は、巻戻り防止部自体に接着性を持たせることで、どのような種類のラップフィルムでも十分に接着させることが可能な巻戻り防止部を有するラップフィルム用カートンを提示するものである。
【０００５】
また、本発明の巻戻り防止部は、自己接着性を有し、巻戻り防止機能を果たすとともに、製函前のブランク状態で積み重ねたブランク同士がブロッキングを発生しない機能も同時に備えた巻戻り防止部を有するラップフィルム用カートンを提示するものである。
【０００６】
【課題を解決するための手段】
本発明は、ロール状ラップフィルムを収納するカートンにおいて、該カートンの前板所定位置にアクリル系樹脂が主成分のニスの塗布層から成る巻戻り防止部を設けたことを特徴とするラップフィルム用カートンである。
【０００７】
本発明は、前記巻戻り防止部がアクリルニスに耐ブロッキング剤等を加えたニスの塗布層であることを特徴とするラップフィルム用カートンである。
【０００８】
本発明は、前記巻戻り防止部がアクリルニスの含有率が９５〜９９％で、かつ耐ブロッキング剤の含有率が１〜５％であるニスの塗布層であることを特徴とするラップフィルム用カートンである。
【０００９】
【作用】
カートンを開封し、ロール状のラップフィルムの端部をつまみ、所望長さ引き出し、蓋の外前板と胴の前板とでラップフィルムを挟み保持し、カートンに備わる刃でラップフィルムを切断する。この時、ラップフィルムの切断によりカートン側に残ったラップフィルムの端部は、蓋の外前板と胴の前板との間に挟まれ、かつラップフィルム切断時に加わる外力により巻戻り防止部に押圧、接着され、巻戻り防止部に留められ、カートン内に巻戻ることはない。そして、次回使用時に巻戻り防止部に接着されているラップフィルムの端部を使用者は容易につまみ、引き出すことができる。
【００１０】
【発明の実施の形態】
本発明を図面に示す１実施例に従い詳細に説明する。図２は本実施例のブランクを示す平面展開図であり、前板１、底板２、後板３、蓋板４、外前板５が順次連設する。前板１の上部には折込板７が、外前板５の下部には切断予定線（ミシン目等）を介して接着片６がそれぞれ連設する。さらに、前板１、底板２、後板３の両側部にそれぞれ胴側面形成板８が連設し、蓋板４、外前板５の両側部にそれぞれ蓋側面形成板９が連設する。刃２０は図示しないが、外前板５の内面に、該外前板５の端辺から刃先が突出する位置に設ける。
【００１１】
前板１の中央上部に巻戻り防止部１０を設ける。巻戻り防止部１０はアクリル系樹脂を主成分とするニスを印刷、乾燥した塗布層により形成する。
【００１２】
前記カートンブランクの胴側面形成板８と蓋側面形成板９とをそれぞれ接着し、接着片６を前板１に接着することで胴と蓋とから成る直方体状のカートンを組み立てる。使用に際して、接着片６を切断除去することで、図１に示す状態で行う。
【００１３】
巻戻り防止部１０はアクリル系樹脂を主成分とするニスを使用することを要旨とする。アクリル系樹脂を主成分とするニスは印刷、乾燥後の塗布状態においても微粘着性を有するため、ラップフィルムの自己吸着性の有無を問わずに、どの様な材質のラップフィルムに対しても十分に接着し、巻戻り防止機能として、満足のいく機能を果たす。
【００１４】
巻戻り防止部のアクリル系樹脂は前述のように微粘着性を有するため、その粘着強度が強すぎると、カートン製函前のブランク状態での積重ね時に、上下の接するブランク同士が接着していまう、いわゆるブロッキング現象が発生する場合がある。この現象を解消するために、本発明では、巻戻り防止部のニス内に耐ブロッキング剤を入れる構成を提示する。
【００１５】
本発明での巻戻り防止部は、ラップフィルムへの接着性と、カートンブランクのブロッキング防止という相反する機能をアクリル系ニスと耐ブロッキング剤とを混合させることで同時に満たす構成としている。そして、アクリル系ニスと耐ブロッキング剤との適正な含有比率は、
・アクリル系ニス＝９５〜９９％
・耐ブロッキング剤＝１〜５％
とすることが好ましい。
【００１６】
本実施例では、アクリル系ニスとしてアクリルワニスを使用し、耐ブロッキング剤としてはポリエチレン系ワックスを使用している。さらに、本実施例では消泡剤（シリコン系）を１％程度入れている。
【００１７】
本実施例の構成で、前述した作用の項記載の操作によりラップフィルム切断後のラップフィルムと巻戻り防止部との接着状況をテストしてみたところ、ポリ塩化ビニリデン、ポリ塩化ビニル、ポリエチレン、ポリプロピレン製のラップフィルムすべてにおいて良好に接着していた。また、同構成のカートンブランクを５０００枚積み重ねて４日後のブロッキングの有無をテストしたところ、ブロッキングの発生は一切なかった。
【００１８】
巻戻り防止部用は、グラビア印刷機でニスを塗工した後、該ニスを熱乾燥させることで塗布層を形成して設ける。
【００１９】
巻戻り防止部用のニスの塗工は、カートンの基材上に直接塗工する他に、カートンの絵柄印刷（オーバープリントニスも含む）の上に塗工することもできる。
【００２０】
巻戻り防止部はカートン胴の前板の、蓋の外前板で覆われる部分であれば、位置、大きさ（高さ、巾）、個数等は任意に設定することができる。
【００２１】
巻戻り防止部用のニスの塗工は、所定面積で全面に設ける他に、各個が島状に独立したドット状に設けることもできるし、格子状に設けることもできる。このように、巻戻り防止部の内部に非塗布部分を設けることで、巻戻り防止部の接着力を、使用するニスの材質特性の他にも調整することが可能となる。
【００２２】
【発明の効果】
本発明は、アクリル系樹脂が主成分のニスの塗布層から成る巻戻り防止部を設けたため、印刷、乾燥させるだけで容易に設けることができる。また、巻戻り防止部自体が微粘着性を備えるため、ラップフィルムの材質を問わずに良好に接着することができる。
【００２３】
また、必要に応じて、ニス内に耐ブロッキング剤を入れることで、カートンブランク時のブロッキングを防止できる。
【図面の簡単な説明】
【図１】本発明ラップフィルム用カートンの斜視図である。
【図２】本発明ラップフィルム用カートンのブランクの平面図である。
【符号の説明】
１・・・・・前板
２・・・・・底板
３・・・・・後板
５・・・・・蓋板
６・・・・・外前板
１０・・・・巻戻り防止部
【図１】
0003596269.tif 000002
【図２】
0003596269.tif 000003